(57)【要約】【課題】縦断面図・横断面図を作成するのに際して修正を不要にし且つ高精度のものが得られるようにした地形等の測量支援方法及びその装置を提供する。【解決手段】操作手段と、第１の記憶手段と、点、線、面等の属性に応じたオブジェクトが格納される第２の記憶手段と、前記操作手段の操作に基づいて、１又は複数の測点データ（ｘ、ｙ、ｚ）に、前記記憶手段に格納されているオブジェクトを関係付けてＧＩＳソフトにより前記第１の記憶手段に記憶させる演算手段とを備え、これらはＰＣ２０に実現される。そして、前記演算手段は、前記オブジェクトを境界条件として前記データ（ｘ、ｙ、ｚ）の３次元化の処理を行う。【選択図】        図１
2004239805.tif 000002
【特許請求の範囲】
【請求項１】
１又は複数の測点データ（ｘ、ｙ、ｚ）に、予め用意しておいた点、線、面等の属性にそれぞれ対応したオブジェクトの情報を関係付けて記憶する工程と、
前記オブジェクトを境界条件として前記測点データ（ｘ、ｙ、ｚ）の３次元化の処理を行う工程と
を備えたことを特徴とする３次元測量支援方法。
【請求項２】
操作手段と、
第１の記憶手段と、
点、線、面等の属性に応じたオブジェクトが格納される第２の記憶手段と、
前記操作手段の操作に基づいて、１又は複数の測点データ（ｘ、ｙ、ｚ）に、前記第２の記憶手段に格納されているオブジェクトを関係付けて前記第１の記憶手段に記憶させる演算手段とを備え、
前記演算手段は、前記オブジェクトを境界条件として前記測点データ（ｘ、ｙ、ｚ）の３次元化の処理を行うことを特徴とする３次元測量支援装置。
【請求項３】
表示手段を備え、前記演算手段は、点、線、面等の属性の選択を促す入力画面を前記表示手段に表示させることを特徴とする請求項２記載の３次元測量支援装置。
【請求項４】
前記演算手段は、前記属性が選択されると、その属性に含まれるオブジェクトの選択を促す入力画面を前記表示手段に表示させることを特徴とする請求項３記載の３次元測量支援装置。
【請求項５】
前記第２の記憶手段は、１つのオブジェクトに対して縮尺に対応した複数の形態が格納されることを特徴とする請求項２〜４の何れかに記載の３次元測量支援装置。
【請求項６】
前記演算手段は、前記測点データと前記オブジェクトとに基づいて平面図又は断面図のデータを作成して出力することを特徴とする請求項２〜５の何れかに記載の３次元測量支援装置。
【請求項７】
前記演算手段は、平面図を作成する際に、測点を結んだ計測線が交差する部位周辺においては前記オブジェクトの端部の補正処理を行うことを特徴とする請求項６記載の３次元測量支援装置。
【請求項８】
前記演算手段は、断面図を作成する際に、断面角度に対応して前記オブジェクトの端面形状を補正することを特徴とする請求項６記載の３次元測量支援装置。
【発明の詳細な説明】
【０００１】
【発明の所属する技術分野】
本発明は、地形等の測量支援方法及びその装置に関し、特に、その縦断面図又は横断面図の作成支援に関する。
【０００２】
【従来の技術】
従来、土木設計を行う場合には、実際に２次元測量（平板測量、縦断測量、横断測量）を行うことにより作成した地形図、縦断面図、横断面を利用していた。近年ではコンピューターの発達により、平板測量結果を３次元データとしてＤＭ（Ｄｉｇｉｔａｌ  Ｍａｐｉｎｇ）データ化すれば、ＣＡＤソフト上で縦断面及び横断図を作成することが可能になっている（例えば特許文献１）。なお、ＤＭデータは３次元のポイントデータであり、２次元座標及び高さのデータから構成されている。
【０００３】
【特許文献１】
特開２０００−３４６６４７号公報
【０００４】
【発明が解決しようとする課題】
しかし、現在一般的に作成されているＤＭデータを立ち上げて縦断面図及び横断面図を作成しようとすると、例えば次のような問題が発生する。
１．縦断面図・横断面図の作成時に修正が発生する。
２．直接測量を行うときに比べて精度が悪化する。
【０００５】
このため、ＤＭデータによって３次元化して作成された縦断面図及び横断面図は、基本計画のレベルでの利用に留めざるを得ない状況となっている（後述の図２３、図２４参照）。このＤＭデータより作成される縦断面図・横断面図を直接測量の精度まで向上させるためには、３次元の単点（ｘ・ｙ・ｚ）測量をより密に行えば実現可能である。しかしながら、構造物を縦断面図・横断面図で表現させるためには、相当密な単点測量を行う必要があるほか、地中部の構造形は表現できない。したがって、従来の３次元測量技術によって作成された縦断面図・横断面図で基本設計・実施設計を行うことは困難であった。
【０００６】
上記の問題点を図面を用いて更に詳細に説明する。図２２（Ａ）〜（Ｂ）は従来の地形図のデータを示したものであり、同図（Ａ）は平面図、同図（Ｂ）はＤＭデータのポイントを示したものであり、同図（Ｃ）はＴＩＮ（ティン：三角形の集合体）をかけた状態を示した図である。
【０００７】
図２２（Ａ）の地形図において、Ａ−Ａ’のように構造物の断面に垂直に断面図を作成したときや、Ｂ−Ｂ’のように構造物に対して任意の角度で断面図を作成したときには、次のような修正が必要となっている。
【０００８】
（ａ）現況との差異が発生
ＣＡＤデータは、単点１点について（ｘ，ｙ，ｚ）の情報を１つずつしかもてないため、断面をＤＭデータより立ち上げた場合には、図２３に示されるように、現況の地形との差異が発生することになる。このため、図２４に示されるように修正作業を施さなければならない。
（ｂ）高さをもたないデータの非描写
用地境界線などの旗揚げは高さを持たないため、縦断面図・横断面図の作成時には描写されない。
（ｃ）人工構造物の地中部分の非描写
擁壁やＵ字溝、人孔等の人工構造物は天端の高さを断面図に読み込むため、地中部が描写されない。したがって、上記の問題点を回避するために、図２５に示されるように、描写されない地中部分については、縦及び横の全ての断面において修正を必要としている。
【０００９】
本発明は、上記のような問題点を解決するためになされたものであり、縦断面図・横断面図を作成するのに際して修正を不要にし且つ高精度のものが得られるようにした地形等の測量支援方法及びその装置を提供することを目的とする。
【００１０】
【課題を解決するための手段】
（１）本発明に係る３次元測量支援方法は、１又は複数の測点データ（ｘ、ｙ、ｚ）に、予め用意しておいた点、線、面、中空断面等の属性にそれぞれ対応したオブジェクト（例えば点用データ、線用データ、面用データ、中空用断面データ等）の情報を関係付けて記憶する工程と、前記オブジェクトを境界条件として前記測点データ（ｘ、ｙ、ｚ）の３次元化の処理を行う工程とを備えたものである。
【００１１】
（２）本発明に係る３次元測量支援方法は、操作手段と、第１の記憶手段と、  点、線、面等の属性に応じたオブジェクトが格納される第２の記憶手段と、前記操作手段の操作に基づいて、１又は複数の測点データ（ｘ、ｙ、ｚ）に、前記第２記憶手段に格納されているオブジェクトを関係付けて前記第１の記憶手段に記憶させる演算手段とを備え、前記演算手段は、前記オブジェクトを境界条件として前記測点データ（ｘ、ｙ、ｚ）の３次元化の処理を行う。
【００１２】
（３）本発明に係る３次元測量支援装置は、表示手段を備え、前記演算手段は、点、線、面等の属性の選択を促す入力画面を前記表示手段に表示させる。
【００１３】
（４）本発明に係る３次元測量支援装置において、前記演算手段は、属性が選択されると、その属性に含まれるオブジェクトの選択を促す入力画面を前記表示手段に表示させる。
【００１４】
（５）本発明に係る３次元測量支援装置において、前記第２の記憶手段は、１つのオブジェクトに対して縮尺に応じた複数の形態が格納される。
【００１５】
（６）本発明に係る３次元測量支援装置において、前記演算手段は、前記測点データと前記オブジェクトとに基づいて平面図又は断面図のデータを作成して出力する。
【００１６】
（７）本発明に係る３次元測量支援装置において、前記演算手段は、平面図を作成する際に、測点を結んだ計測線が交差する部位周辺においては前記オブジェクトの端部の補正処理を行う。
【００１７】
（８）本発明に係る３次元測量支援装置において、前記演算手段は、断面図を作成する際に、断面角度に対応して前記オブジェクトの端面形状を補正する。
【００１８】
【発明の実施の形態】
実施形態１．
図１は本発明の実施形態１に係る測量支援装置及びその関連機器の説明図である。同図に示されるように、現地の作業領域に、測定点の３次元データ（ｘ，ｙ，ｚ）を取得するためのトータルステーション１０と、パーソナルコンピュータ（以下、ＰＣという）２０とを持ち込み、両者を接続して測定点のデータ収集等を行う。ＰＣ２０の記憶装置（図示せず）には、ＣＡＤソフト１００、３次元ソフト１１０、ＧＩＳソフト１２０、新３次元測量ソフト１３０等が格納されており、後述の各種の処理を行う。なお、前記のソフトウェアの内、新３次元測量ソフト１３０は本実施形態１において特有なソフトウェアである。ＰＣ２０は、上記のソフトウェアによりデータ処理したものを、更に例えば３次元設計支援ソフト１６０により処理をして例えば図形データを生成し、プロッター３０に例えば平面図、縦断面図、横断面図等を描画させる。或いは、ＰＣ２０によりデータ処理したものプリンタ４０に出力して点、線、面等のデータを印刷させる。
【００１９】
図２はＰＣ２０の記憶装置に格納されているＣＡＤソフト１００、３次元ソフト１１０、ＧＩＳソフト１２０、新３次元測量ソフト１３０、基本データベース１４０、新規作成ソフト１５０の関係を示したブロック図である。ＣＡＤソフト１００、３次元ソフト１１０及びＧＩＳソフト１２０は従来から用いられているソフトウェアであるが、新３次元測量ソフト１３０は上述のように本実施形態１に特有のソフトウェアである。新３次元測量ソフト１３０に対しては、ＧＩＳソフト１２０、基本データベース１４０及び新規作成用ソフト１５０とがリンクしている。ＧＩＳ（Ｇｅｏｇｒａｐｈｉｃａｌ  Ｉｎｆｏｒｍａｔｉｏｎ  Ｓｙｓｔｅｍ）ソフトは、地図に関する属性情報をコンピュータを利用して解析するシステムに用いられるソフトウェアであり、例えば「Ａｒｃ  Ｉｎｆｏ（登録商標、米国ＥＳＲＩ社）、「Ａｕｔｏ  Ｃａｒｄ  Ｍａｐ」（登録商標、米国ＡＵＴＯ  ＤＩＳＫ社）等のソフトウェアがある。基本データベース１４０には、点データ、線データ、面データ及び中空断面データのそれぞれに対応したオブジェクトが格納されている。また、そのオブジェクトは平面、断面等に応じた形態がそれぞれ用意されている。新規作成用ソフト１５０は、基本データベース１４０に該当するオブジェクトが無い場合にそのオブジェクトを作成するためのソフトウェアであり、点データ、線データ、面データ及び中空断面データのそれぞれに対応したオブジェクトを作成するための専用のソフトウェアが用意されている。
【００２０】
新３次元測量ソフト１３０は、点データ、線データ、面データ及び中空断面データのそれぞれについて、オブジェクトを選択するためのコマンド及び新規作成のためのコマンドをそれぞれ備えており（後述の図７、図１３、図１７、図２０参照）、オブジェクトを選択するためのコマンドに対しては基本データベース１４０がリンクし、該当するオブジェクトが選択される。新規作成のコマンドに対しては新規作成用ソフト１５０がリンクして、そのソフトウェアにより新しいオブジェクトが作成される。この新しいオブジェクトが作成されると、それは基本データベース１４０に登録されて爾後はそのオブジェクトは選択の対象となる。
【００２１】
図３は上記の測量支援装置の全体の概要を示すフローチャートであり、ＰＣ２０により以下の処理がなされる。
（Ｓ１）トータルステーション等１０により、現地で単点測量（ｘ，ｙ，ｚ）を行い、ＰＣ２０に表示させる。
（Ｓ２）ＣＡＤソフト１００、ＧＩＳソフト１２０及び新３次元測量ソフト１３０によりデータの蓄積及び編集を行う。例えば単点（又は複数）データ（ｘ，ｙ，ｚ）に、予め用意しておいたオブジェクトを認識させる。このとき、該当するオブジェクトが無い場合には、新規作成のコマンドを選択し、所望のオブジェクトを作成する。何れにしても、データをその属性（点データ、線データ等）に対応したオブジェクトとリンクさせて記憶させる。
（Ｓ３）３次元ソフト１１０によってデータの３次元化の処理を行う。例えば各オブジェクトの境界と単点（又は複数）データ（ｘ、ｙ、ｚ）とにより３次元の面データを作成する。
（Ｓ４）そして、オブジェクトと等高線を表示させ、平面図を作成する。また、必要な線形を設定し、３次元化された面とオブジェクトを用いて縦断面図、横断面図を作成する。
（Ｓ５）点、線、面データを各オブジェクト別に集計し、それぞれ個数、長さ、面積を例えばプリンタ４０に出力する。
（Ｓ６）３次元化されたデータを３次元設計支援ソフトに適用して、例えばプロッター３０に出力して描画させる。
【００２２】
図４は図３の処理（Ｓ２）の詳細を示したフローチャートである。
（Ｓ２１）点データ
点データは標高データとしてＤＭデータとして記憶させる。高さを補正する必要のある単点データは、オブジェクトを選択して補正された標高データを、ＤＭデータとして記憶させる。例えば図５に示される境界杭の例の場合には、単点データ（ｘ、ｙ、ｚ）の内、ｚについては高さＨを減算した補正値（ｚ−Ｈ）をＤＭデータとして記憶させることになる。また、オブジェクトを必要とする単点データ（ｘ、ｙ、ｚ）は、オブジェクトを選択した上で、ＧＩＳソフト１２０上に記憶させる。点データのオブジェクトは、主として平面図の作成のために使用する。縦断図又は横断図上に表示させたい場合には、後述のように線データ、面データ等のオブジェクトを使用して表示させることになる。オブジェクトは、図面の縮尺に対応できるよう、同じものに対して数種類準備して基本データベースに記憶させておく（図１１参照）。また、オブジェクトについては、いかなる対応もできるように、オブジェクトの新規作成用ソフト１５０を常駐させておく。
【００２３】
図６は点データのオブジェクトの例を示した説明図である。同図に示されるように、  オブジェクトとしては、例えば蓋（下水）、ＫＢＭ（仮ベンチマーク）、境界石等の例がある。
【００２４】
図７は点データの入力画面である。ＰＣ２０に接続された表示装置２１に表示された点データのボタン２１ａを、ＰＣ２０に接続されたマウス（図示せず）を操作して押すと（クリックすると）、ＤＭデータ、境界石、ＫＢＭ、…制御弁、蓋（下水）、桝、樹木等のオブジェクトの項目が表示されて、何れかのオブジェクトが選択されることにより、入力データ（点データ）とその選択されたオブジェクトとがリンクされてＧＩＳソフト１２０上に記憶されることになる。なお、該当するオブジェクトがない場合には、新規作成のボタン２１ｅを押して、新規作成ソフト１５０を用いて点データのオブジェクトを作成することになる。なお、点データは原則として点データとしてＧＩＳソフト１２０上に記憶されるが、スケールが大きい場合（面積をもつ場合又はもたせたい場合）には面データとして記憶する。
【００２５】
（Ｓ２２）線データ
線データは、単点データ（ｘ、ｙ、ｚ）を線として結合し、オブジェクトを選択した上で、ＧＩＳソフト１２０上に記憶させる。例えば図８はその例を示した説明図であり、ＣＡＤソフト上で測点（ｘ、ｙ、ｚ）を結ぶ。線データのオブジェクトは、平面図作成及び縦断面図、横断面図の作成のために使用する。平面図を作成する場合には、線上に端部補正をしたオブジェクトを表示させる（但し、この処理は出力段階でなされる）。オブジェクトには、境界条件を設定しておいて３次元の面データを作図する場合に使用する。
【００２６】
なお、縦断面図又は横断面図上にオブジェクトを表示させる場合は、このオブジェクトの断面データを用いて補正したものを表示させる（但し、この処理は出力段階でなされる）。
【００２７】
図９は平面図の端部補正の例を示した説明図である。例えばＵ字溝の例については図示のように３個の測点を結んで測線を形成したときに、図のＡ部分については境界条件及びオブジェクトの結合と削除を行う。また、図のＢ部分については境界条件及びオブジェクトの結合と削除を行う。これは線データにＵ字溝が設定されると、自動的にその処理が行われる（後述の処理Ｓ２５参照）。
【００２８】
また、縦断面図又は横断面図上にオブジェクトを表示させる場合には、このオブジェクトの断面データを用いて補正したものを表示させる。図１０は縦断面図オブジェクト補正の例を示した説明図である。例えばＵ字溝の例については、境界条件（３次元の面データ境界条件）を設定しておいて、図示のように２個の側点を結んで測線を形成したときに、例えば角度φでＡ−Ａの断面を表示しようとした場合には、補正前のオブジェクトの幅Ｂが、補正後においては、そのＢ’が、Ｂ’＝Ｂ／ｃｏｓφで表され、図示のように幅広の断面図が描かれる。
【００２９】
また、オブジェクトは、図面の縮尺に対応できるよう、同じものに対して数種類準備し基本データベースに記憶させておく。
図１１（Ａ）〜（Ｄ）はＵ字溝平面オブジェクトの例であり、（Ａ）は縮尺が１／１〜１／１００、（Ｂ）は縮尺が１／５０〜１／２００、（Ｃ）は縮尺が１／１００〜１／１０００、（Ｄ）は縮尺が１／１０００以上の場合の図である。このように、オブジェクトの形態を縮尺の大きさに対応したものにしている。なお、このようにオブジェクトの形態を縮尺の大きさに対応したものにすることは、上記の点データ、後述の面データ、中空断面データにおいても同様である。
【００３０】
図１２は線データのオブジェクトの例を示した説明図である。線データオブジェクトの例としては、例えば、Ｕ字溝（Ｕ−６００）、側溝（Ｌ型）、鋼製フェンス、境界等がある。何れも、測定位置を１箇所予め決めておくことによりオブジェクトの相対位置が特定される。
【００３１】
図１３は線データの入力画面である。線データのボタン２１ｂを押すと、Ｕ字溝、Ｌ型溝、フェンス、ゲート、境界、センターライン、白線等の各項目が表示され、何れかの項目（オブジェクト）が選択されると、入力データ（線データ）とオブジェクトとがリンクされてＧＩＳソフト１２０上に記憶されることになる。なお、該当するオブジェクトがない場合には、新規作成のボタン２１ｅを押してそのソフトウェアを用いて所望のオブジェクトを作成することになる。なお、線データは原則として線データとしてＧＩＳソフト１２０上に記憶されるが、スケールが大きい場合（幅をもつ場合、又は持たせたい場合）には面データとして記憶する。
【００３２】
（Ｓ２３）面データ
面データは、単点データ（ｘ、ｙ、ｚ）を線として結合し、オブジェクトを選択した上でＧＩＳソフト１２０上に記憶させる。例えば図１４はその例を示した説明図であり、ＣＡＤソフト上で測点（ｘ、ｙ、ｚ）を結ぶ（図示の例においては７個の測点が結ばれている。）。測点と測点とを結んだ線が測線を形成し、この測線が境界条件となる。この面データのオブジェクトは、平面図作成、縦断及び横断図作成のために使用される。平面図を作成する場合は、面上にオブジェクトを表示させる。オブジェクトには上記のようにして境界条件を設定しておき、３次元の面データを作図する場合に使用する。縦断及び横断図上にオブジェクトを表示させる場合には、このオブジェクトの断面データを用い補正したものを表示させる。田畑等、断面描写を必要としないものについては、平面オブジェクトのみとなる。また、この場合には、形成された面データのみの３次元化が可能であり、さらにこれをオブジェクトとして認識させることができる。
【００３３】
図１５は図１４の面データに基づいて３次元化された面の説明図である。なお、縦断面図、横断面図のオブジェクトの表示手法は、線データオブジェクトの表示手法と同様とする。
【００３４】
図１６は面データオブジェクトの例を示した説明図である。面データオブジェクトの例としては、例えば、法面、ブロックの積み擁壁、崖等がある。
【００３５】
図１７は面データの入力画面である。面データのボタン２１Ｃを押すと、法面、ブロック積、がけ、路面、田、桑畑、畑の各項目が表示され、何れかの項目（オブジェクト）が選択されると、入力データ（面データ）とオブジェクトとがリンクされてＧＩＳソフト１２０上に記憶させることになる。なお、該当するオブジェクトがない場合には、新規作成のボタン２１ｅを押して所望のオブジェクトを作成する。
【００３６】
（Ｓ２４）中空断面データ
中空断面データは、単点データ（ｘ、ｙ、ｚ）を線として結合し、オブジェクトを選択した上で、上記の面データとは別の面データとしてＧＩＳソフト１２０上に記憶させる。これらの中空断面データとしては、橋梁や建物や地下埋設物があげられる。図１８は橋梁（上部工）及び建物の例を示した説明図である。
【００３７】
中空断面データのオブジェクトは、平面図作成及び縦断面図、横断図作成のために使用されるが、必要が無い場合は、別の面データとしてＧＩＳソフト１２０上に記憶させることにより非表示とすることができる。平面図を作成する場合は、面上にオブジェクトを表示させる又は表示させないの何れかを選択することができる。オブジェクトには、境界条件を設定しておき、３次元の面データを作図する場合にも使用可能とする。また、縦断面図又は横断図上にオブジェクトを表示させる場合には、このオブジェクトの断面データを用い補正したものを表示させる（但し、この処理も出力段階にてなされる）。
【００３８】
図１９は崖等のオーバーハングの例を示した説明図である。中空断面の特異な例として崖等のオーバーハングがあるが、この場合には、崖の正面より、別途３次元の面を形成させ、境界条件を固定させた上で中空断面データとする。縦断又は横断図のオブジェクトの表示手法は、線データオブジェクトの表示手法と同様とする。
【００３９】
図２０は中空断面データの入力画面である。中空断面データのボタン２１ｄを押すと、橋梁上部溝、橋台、橋脚、ビル、家屋、オーバーハング、地下埋設物の各項目が表示され、何れかの項目（オブジェクト）が選択されることにより、入力データ（中空断面データ）とオブジェクトとがリンクされてＧＩＳソフト１２０上に記憶させることになる。なお、該当するオブジェクトがない場合には、新規作成のボタン２１ｅを押して所望のオブジェクトを作成する。
【００４０】
（Ｓ２５）上述のようにして処理されて記憶されたデータに基づいて３次元ソフト１１０により測量データの３次元化の処理を行う場合には、上記のオブジェクトに基づいて境界条件を自動的に認識して、３次元ソフト１１０の処理（Ｓ３）に渡す。なお、境界条件を自動的に認識することができないもの又は境界条件を変更するものについては手動により設定する。
【００４１】
図２１は上述の処理に作成された地形図の例を示した図である。同図（Ａ）は平面図であり、同図（Ｂ）はそのＤＭデータの例である。ここでは、ＤＭデータは点のデータ、線のデータ及び面のデータから構成されている。また、同図（Ｃ）はＤＭデータに境界条件に従ってティンをかけた状態の平面図である。同図（Ｄ）は（Ａ）のＡ−Ａ断面図である。また、ここでは構造物がオブジェクトして選択されていない例について示したが、例えば図２４の例についてみると、修正後の断面が得られる。
【００４２】
以上のように、本実施形態１においては、現地測量（トータルステーション等）による１又は複数の測点データ（ｘ、ｙ、ｚ）に予め用意しておいた点、線、面等のオブジェクトの情報をＧＩＳソフト上に記憶させ、そのオブジェクトを境界条件として３次元ソフトによりデータの３次元化を行っており、そして、この３次元化されたデータを用いて、平面図や必要な縦断面図、横断面図を任意に出力させることが可能になっている。また、平面、縦断面、横断面の各々の図面は、オブジェクトにより修正されたものを出力することができるため（例えば図１０参照）、構造物の断面が適切に表示される。また、点、線、面等のデータは、オブジェクト別に集計され出力される。このようにして、３次元化されたデータは、主として３次元設計支援ソフトに用いることができる。また、道路台帳等の各管理図面、管理台帳としても応用可能である。
【００４３】
また、本実施形態１においては、縦断測量や横断測量を必要とせず、図面のインキング等の手間も必要としないため、現状の測量より飛躍的に経済的となり、また工期短縮を図ることが可能となる。３次元設計においても、ＣＡＤソフト上での縦横断の修正の必要が無く、いくら線形の変更を行っても修正の手間がかからなくなるため、綿密な設計を行うことが可能となるばかりでなく、飛躍的に経済性と工期短縮を図ることが可能となる。
【００４４】
実施形態２．
なお、上述の実施形態１においては、トータルステーションにより位置計測を行う例について説明したが、ＧＰＳ（全地球測位システム）により位置計測をしてもよい。また、本発明の操作手段、演算手段、第１及び第２の記憶手段をＰＣ２０により実現した例について説明したが、計測データの３次元化処理について例えばネットワークを介して別のシステムにより行うようにしてもよい。
【図面の簡単な説明】
【図１】本発明の実施形態１に係る測量支援装置及びその関連機器の説明図である。
【図２】ＰＣに格納されているＣＡＤソフト、３次元ソフト、ＧＩＳソフト及び新３次元測量ソフト及びデータベースの関係を示したブロック図である。
【図３】上記の測量支援システムの全体の概要を示すフローチャートである。
【図４】図３の処理（Ｓ２）の詳細を示したフローチャートである。
【図５】点データの高さＨ補正の例を示した説明図である。
【図６】点データのオブジェクトの例を例を示した説明図である。
【図７】点データの入力画面である。
【図８】線データを記憶させる際の処理を示した説明図である。
【図９】線データの平面図の端部補正の例を示した説明図である。
【図１０】縦断面図オブジェクト補正の例を示した説明図である。
【図１１】Ｕ字溝平面オブジェクトの例を示した説明図である。
【図１２】線データオブジェクトの例を示した説明図である。
【図１３】線データの入力画面を示した図である。
【図１４】面データを記憶させる際の説明図である。
【図１５】図１４の面データに基づいて３次元化された面の説明図である。
【図１６】面データオブジェクトの例を示した説明図である。
【図１７】面データの入力画面である。
【図１８】橋梁（上部工）及び建物の例を示した説明図である。
【図１９】崖等のオーバーハングの例を示した説明図である。
【図２０】中空断面データの入力画面である。
【図２１】上述の処理に作成された地形図の例を示した図である。
【図２２】従来方法による地形図等の説明図である。
【図２３】図２２のＡ−Ａ’断面図である。
【図２４】現況のＡ−Ａ’断面図である。
【図２５】従来方法の問題点を示す説明図である。
【符号の説明】
１０  トータルステーション、２０  ＰＣ、
１００  ＣＡＤソフト、１１０  ３次元ソフト、１２０  ＧＩＳソフト、
１３０  新３次元測量ソフト１３０  １４０  基本データベース、
１５０  新規作成用ソフト。
【図１】
2004239805.tif 000003
【図２】
2004239805.tif 000004
【図３】
2004239805.tif 000005
【図４】
2004239805.tif 000006
【図５】
2004239805.tif 000007
【図６】
2004239805.tif 000008
【図７】
2004239805.tif 000009
【図８】
2004239805.tif 000010
【図９】
2004239805.tif 000011
【図１０】
2004239805.tif 000012
【図１１】
2004239805.tif 000013
【図１２】
2004239805.tif 000014
【図１３】
2004239805.tif 000015
【図１４】
2004239805.tif 000016
【図１５】
2004239805.tif 000017
【図１６】
2004239805.tif 000018
【図１７】
2004239805.tif 000019
【図１８】
2004239805.tif 000020
【図１９】
2004239805.tif 000021
【図２０】
2004239805.tif 000022
【図２１】
2004239805.tif 000023
【図２２】
2004239805.tif 000024
【図２３】
2004239805.tif 000025
【図２４】
2004239805.tif 000026
【図２５】
2004239805.tif 000027